(57)【特許請求の範囲】
【請求項１】
自缶蒸気用制御弁の弁開度に応じて供給量が制御される自缶蒸気と、補助蒸気用制御弁の弁開度に応じて供給量が制御される補助蒸気とが供給され、供給された蒸気により、ガスタービンに吸入される空気を加熱する熱交換器と、
前記熱交換器により加熱されて前記ガスタービンに吸入される空気の温度を測定する温度計と、
前記ガスタービンにより回転駆動される発電機の出力が予め決めた規定値以上の値から減少してきて前記規定値未満になったときには第１の蒸気源切替信号を出力し、前記発電機の出力が予め決めた規定値未満の値から増加してきて前記規定値以上になったときには第２の蒸気源切替信号を出力する蒸気源切替信号発生部と、
第１の蒸気源切替信号が出力されたときには、予め決めた設定時間において時間の経過に沿い値が１から０に次第に変化し、第２の蒸気源切替信号が出力されたときには、予め決めた設定時間において時間の経過に沿い値が０から１に次第に変化する自缶蒸気使用係数を出力する自缶蒸気使用係数発生部と、
前記温度計で測定した測定温度と予め設定した目標温度との偏差を零とするようにフィードバック制御をする自缶蒸気用弁開度補正指令と、前記測定温度が前記目標温度となるように先行制御する自缶蒸気用弁開度先行指令とを加算してなる自缶蒸気用補正弁開度指令を、前記自缶蒸気用制御弁に送って前記自缶蒸気用制御弁の弁開度を制御する自缶蒸気用制御部と、
前記測定温度と予め設定した目標温度との偏差を零とするようにフィードバック制御をする補助蒸気用弁開度補正指令と、前記測定温度が前記目標温度となるように先行制御する補助蒸気用弁開度先行指令とを加算してなる補助蒸気用補正弁開度指令を、前記補助蒸気用制御弁に送って前記補助蒸気用制御弁の弁開度を制御する補助蒸気用制御部と、
第１の蒸気源切替信号が出力されたときには、前記自缶蒸気用制御部は、第１の蒸気源切替信号が出力された時点における自缶蒸気用補正弁開度指令の値を保持し、自缶蒸気用補正弁開度指令の値を前記保持した値から予め決めた設定時間において次第に減少させて０にする一方、前記補助蒸気用制御部は、１の値から前記自缶蒸気使用係数を引いた差値を前記補助蒸気用補正弁開度指令に対して乗算してなる補助蒸気用調整弁開度指令により前記補助蒸気用制御弁の弁開度を制御し、
第２の蒸気源切替信号が出力された時には、前記補助蒸気用制御部は、第２の蒸気源切替信号が出力された時点における補助蒸気用補正弁開度指令の値を保持し、補助蒸気用補正弁開度指令の値を前記保持した値から予め決めた設定時間において次第に減少させて０にする一方、前記自缶蒸気用制御部は、前記自缶蒸気使用係数を前記自缶蒸気用補正弁開度指令に対して乗算してなる自缶蒸気用調整弁開度指令により前記自缶蒸気用制御弁の弁開度を制御することを特徴とするガスタービンの吸気加熱制御装置。
【請求項２】
請求項１において、
前記自缶蒸気用制御部は、
前記目標温度と前記測定温度との偏差である自缶蒸気用の偏差温度を求める自缶蒸気用の偏差演算部と、
前記自缶蒸気用の偏差温度を比例・積分演算して自缶蒸気用の弁開度補正指令を求める自缶蒸気用の比例・積分演算部と、
前記目標温度と大気温度との温度差を求める第２の自缶蒸気用の偏差演算部と、
前記ガスタービンの回転数が大きくなると値が大きくなる自缶蒸気用の弁開度指令を出力する自缶蒸気用の弁開度指令演算関数部と、
前記ガスタービンの入口案内翼の開度が大きくなると係数値が大きくなる自缶蒸気用の入口案内翼用補正係数を出力する自缶蒸気用の入口案内翼用補正係数演算関数部と、
前記温度差が大きくなると係数値が大きくなる自缶蒸気用の温度差用補正係数を出力する自缶蒸気用の温度差用補正係数演算関数部と、
前記熱交換器に供給される自缶蒸気の圧力が、予め決めた基準圧力と等しいときには係数値が１となり、前記基準圧力よりも大きくなると係数値が１よりも小さくなり、前記基準圧力よりも小さくなると係数値が１よりも大きくなる自缶蒸気用の蒸気圧力用補正係数を出力する自缶蒸気用の蒸気圧力用補正係数演算関数部と、
前記熱交換器に供給される自缶蒸気の温度が、予め決めた基準温度と等しいときには係数値が１となり、前記基準温度よりも大きくなると係数値が１よりも小さくなり、前記基準温度よりも小さくなると係数値が１よりも大きくなる自缶蒸気用の蒸気温度用補正係数を出力する自缶蒸気用の蒸気温度用補正係数演算関数部と、
前記自缶蒸気用の弁開度指令と前記自缶蒸気用の入口案内翼用補正係数と前記自缶蒸気用の温度差用補正係数と前記自缶蒸気用の蒸気圧力用補正係数と前記自缶蒸気用の蒸気温度用補正係数を乗算して自缶蒸気用の弁開度先行指令を出力する自缶蒸気用の乗算部と、
前記自缶蒸気用の弁開度補正指令と前記自缶蒸気用の弁開度先行指令とを加算して自缶蒸気用の補正弁開度指令を出力する自缶蒸気用の加算部とを有し、
前記補助蒸気用制御部は、
前記目標温度と前記測定温度との偏差である補助蒸気用の偏差温度を求める補助蒸気用の偏差演算部と、
前記補助蒸気用の偏差温度を比例・積分演算して補助蒸気用の弁開度補正指令を求める補助蒸気用の比例・積分演算部と、
前記目標温度と大気温度との温度差を求める第２の補助蒸気用の偏差演算部と、
前記ガスタービンの回転数が大きくなると値が大きくなる補助蒸気用の弁開度指令を出力する補助蒸気用の弁開度指令演算関数部と、
前記ガスタービンの入口案内翼の開度が大きくなると係数値が大きくなる補助蒸気用の入口案内翼用補正係数を出力する補助蒸気用の入口案内翼用補正係数演算関数部と、
前記温度差が大きくなると係数値が大きくなる補助蒸気用の温度差用補正係数を出力する補助蒸気用温度差用の補正係数演算関数部と、
前記熱交換器に供給される補助蒸気の圧力が、予め決めた基準圧力と等しいときには係数値が１となり、前記基準圧力よりも大きくなると係数値が１よりも小さくなり、前記基準圧力よりも小さくなると係数値が１よりも大きくなる補助蒸気用の蒸気圧力用補正係数を出力する補助蒸気用の蒸気圧力用補正係数演算関数部と、
前記熱交換器に供給される補助蒸気の温度が、予め決めた基準温度と等しいときには係数値が１となり、前記基準温度よりも大きくなると係数値が１よりも小さくなり、前記基準温度よりも小さくなると係数値が１よりも大きくなる補助蒸気用の蒸気温度用補正係数を出力する補助蒸気用の蒸気温度用補正係数演算関数部と、
前記補助蒸気用の弁開度指令と前記補助蒸気用の入口案内翼用の補正係数と前記補助蒸気用の温度差用補正係数と前記補助蒸気用の蒸気圧力用補正係数と前記補助蒸気用の蒸気温度用の補正係数を乗算して補助蒸気用の弁開度先行指令を出力する補助蒸気用の乗算部と、
前記補助蒸気用の弁開度補正指令と前記補助蒸気用の弁開度先行指令とを加算して補助蒸気用の補正弁開度指令を出力する補助蒸気用の加算部とを有することを特徴とするガスタービンの吸気加熱制御装置。
【発明の詳細な説明】
【技術分野】
【０００１】
本発明はガスタービンの吸気加熱制御装置に関するものである。
更に詳述すると、本発明は、ガスタービンに吸入される空気を蒸気により加熱するガスタービンの吸気加熱装置において、蒸気源を変更しても、吸入空気の温度を一定に保つように工夫したものである。
【背景技術】
【０００２】
寒冷地に設置されるガスタービンでは、大気中から取り込んだ空気を加熱してからガスタービンに吸入している。
このように吸入空気を加熱しているのは、極低温（例えば−２０°Ｃ〜−３０°Ｃ）になっている密度の高い外気（空気）をそのままガスタービンに吸入すると、着火性能が低下したり燃焼振動が生じたりしてガスタービンの安定燃焼が確保できないからである。また、このような極低温の空気を取り込むと、ガスタービンの入口で空気中の水分が氷結し、氷結した氷がガスタービン内に侵入してタービン翼等を損傷する恐れがあるからである。
【０００３】
そこで、寒冷地に設置されるガスタービンでは、熱交換器などの加熱装置により空気を加熱してからガスタービンに吸入している。この場合、空気温度が、ガスタービンが安定燃焼可能な温度（例えば＋５°Ｃ程度の温度）となるように加熱している。
【０００４】
図５は、寒冷地に設置されるガスタービンプラントの従来の一例を示す。同図に示すように、ガスタービン１０は、圧縮機１１と燃焼器１２とタービン１３を主要部材として構成されている。このガスタービン１０の圧縮機１１には、吸気ダクト１５を介して、外部から取り込んだ空気（大気）Ａが吸入されるようになっている。
【０００５】
圧縮機１１の入口には入口案内翼（ＩＧＶ）１１ａが備えられており、このＩＧＶ１１ａの開度により、圧縮機１１に吸入される空気量が制御される。なお、ＩＧＶ１１ａの開度は、負荷状態や運転状態等に応じて制御される。
【０００６】
発電機２０は、ガスタービン１０に連結されており、ガスタービン１０により回転駆動して発電をする。
【０００７】
吸気ダクト１５には吸気加熱用の熱交換器３０が介装されている。この熱交換器３０には蒸気管３１を介して高温（例えば３００°Ｃ）の蒸気Ｓが供給されている。熱交換器３０は、供給された蒸気Ｓの熱により、ガスタービン１０に吸入される空気Ａを加熱（熱交換）している。
蒸気管３１には、蒸気管３１に流通させる蒸気量、即ち、熱交換器３０に供給する蒸気量を制御するための制御弁３２が介装されている。
【０００８】
なお、熱交換機３０に供給する蒸気としては、補助蒸気ボイラ（図示省略）から発生した蒸気や、タービン１３から排出される排ガスの熱を利用して蒸気を発生させる排熱回収ボイラ（図示省略）から発生した蒸気などを使用している。
なお、補助ボイラから発生した蒸気を、以下「補助蒸気」と称し、排熱回収ボイラから発生した蒸気を、以下「自缶蒸気」と呼ぶ。
【０００９】
吸気ダクト１５のうち、熱交換器３０と圧縮機１１の入口段との間の位置には、温度計４０が取り付けられている。この温度計４０は、熱交換器３０にて加熱されてガスタービン１０の圧縮機１１に吸入される空気Ａ′の温度を測定している。このようにして測定された吸入空気Ａ′の測定温度ｔ１は制御装置５０に送られる。
【００１０】
制御装置５０は、偏差演算部５０ａと、比例・積分演算部（ＰＩ演算部）５０ｂを有している。またこの制御装置５０には、目標温度ＴＯ（例えば＋５°Ｃ）が予め設定されている。この目標温度ＴＯは、ガスタービン１０を安定して燃焼（運転）させることができる吸入空気温度として、各ガスタービン１０の特性に応じて予め設定した温度である。
【００１１】
制御装置５０の偏差演算部５０ａは、測定温度ｔ１と目標温度ＴＯとの偏差演算をして、偏差温度Δｔ（＝ＴＯ−ｔ１）を求める。比例・積分演算部５０ｂは偏差温度ΔｔをＰＩ演算して、弁開度指令Ｐを出力する。そして、この弁開度指令Ｐに応じて、制御弁３２の弁開度を調整している。
【００１２】
したがって、測定温度ｔ１が低いときには、弁開度指令Ｐが大きくなって制御弁３２の弁開度が大きくなり、熱交換器３０に供給される蒸気量が増加する。一方、測定温度ｔ１が高くなってくると、弁開度指令Ｐが小さくなって制御弁３２の弁開度が小さくなり、熱交換器３０に供給される蒸気量が減少する。結局、熱交換器３０にて加熱されて圧縮機１１に吸入されていく空気Ａ′の温度が、目標温度ＴＯとなるように、熱交換器３０に供給する蒸気量をフィードバック制御している。これにより、吸入空気Ａ′の温度を、安定燃焼可能な温度に維持するようにしている。
【００１３】
なお本願発明者は、ＩＧＶ１１ａの開度変化等に起因してガスタービン１０に吸入される吸入空気量が増減した場合に、この吸入空気量の増減を検出し、吸入空気量の増減に応じた弁開度先行指令を求め、弁開度指令Ｐに弁開度先行指令を加算した指令でもって制御弁３２の開度制御をする技術を、既に開発して出願している（特願２００６−３１３７５８）。
つまり、弁開度指令Ｐによるフィードバック制御に加えて、吸入空気量の増減に応じた弁開度先行指令による先行制御（フィードフォワード制御）を行うことにより、吸入空気量が急に増減しても、吸入空気の温度を目標温度ＴＯに保持するように制御する制御装置の発明を出願している。
【００１４】
【特許文献１】特公平４−４８９２１号公報
【特許文献２】特開２００３−１６１１６４号公報
【特許文献３】特願２００６−３１３７５８
【発明の開示】
【発明が解決しようとする課題】
【００１５】
図５に示すガスタービンプラントでは、熱交換機３０には、補助蒸気ボイラで発生した補助蒸気と、排熱回収ボイラで発生した自缶蒸気との、いずれか一方が選択されて供給される。
【００１６】
ここで、熱交換器３０に供給する蒸気源の切り替えについて具体的に説明する。
発電機２０の出力が規定値未満であるときには、補助蒸気を熱交換器３０に供給し、発電機２０の出力が規定値以上になったら、自缶蒸気を熱交換器３０に供給するように、蒸気源の切り替えをしている。
【００１７】
したがって、ガスタービン１０を起動する期間では、まず補助蒸気を熱交換器３０に供給しておき、発電機２０の出力が規定値以上になったら、補助蒸気に代えて自缶蒸気を熱交換器３０に供給するように切り替えをしている。
一方、ガスタービン１０を停止する期間では、当初は自缶蒸気が熱交換器３０に供給されているが、発電機２０の出力が規定値未満になったら、自缶蒸気に代えて補助蒸気を熱交換器３０に供給するように切り替えをしている。
【００１８】
しかし、従来では、熱交換器３０に供給する蒸気を、補助蒸気から自缶蒸気に切り替えるときや、逆に、自缶蒸気から補助蒸気に切り替えるときには、補助蒸気と自缶蒸気の蒸気条件（蒸気温度や蒸気圧力等）が異なるため、加熱後の吸入空気Ａ′の温度の変動が生じることがあったが、従来ではこのような変動を抑制する制御手法がなかった。
【００１９】
このため、熱交換器３０に供給する蒸気を、補助蒸気から自缶蒸気に切り替えるときや、逆に、自缶蒸気から補助蒸気に切り替えるときに、加熱後の吸入空気Ａ′の温度の変動が生じてガスタービン１０の安定燃焼を確保できないおそれがあった。
【００２０】
本発明は、上記従来技術に鑑み、熱交換器に供給する蒸気を、補助蒸気から自缶蒸気に切り替えても、逆に、自缶蒸気から補助蒸気に切り替えても、加熱後の吸入空気の温度を一定に保つことができるようにした、ガスタービンの吸気加熱制御装置を提供することを目的とする。
【課題を解決するための手段】
【００２２】
上記課題を解決する本発明の構成は、自缶蒸気用制御弁の弁開度に応じて供給量が制御される自缶蒸気と、補助蒸気用制御弁の弁開度に応じて供給量が制御される補助蒸気とが供給され、供給された蒸気により、ガスタービンに吸入される空気を加熱する熱交換器と、
前記熱交換器により加熱されて前記ガスタービンに吸入される空気の温度を測定する温度計と、
前記ガスタービンにより回転駆動される発電機の出力が予め決めた規定値以上の値から減少してきて前記規定値未満になったときには第１の蒸気源切替信号を出力し、前記発電機の出力が予め決めた規定値未満の値から増加してきて前記規定値以上になったときには第２の蒸気源切替信号を出力する蒸気源切替信号発生部と、
第１の蒸気源切替信号が出力されたときには、予め決めた設定時間において時間の経過に沿い値が１から０に次第に変化し、第２の蒸気源切替信号が出力されたときには、予め決めた設定時間において時間の経過に沿い値が０から１に次第に変化する自缶蒸気使用係数を出力する自缶蒸気使用係数発生部と、
前記温度計で測定した測定温度と予め設定した目標温度との偏差を零とするようにフィードバック制御をする自缶蒸気用弁開度補正指令と、前記測定温度が前記目標温度となるように先行制御する自缶蒸気用弁開度先行指令とを加算してなる自缶蒸気用補正弁開度指令を、前記自缶蒸気用制御弁に送って前記自缶蒸気用制御弁の弁開度を制御する自缶蒸気用制御部と、
前記測定温度と予め設定した目標温度との偏差を零とするようにフィードバック制御をする補助蒸気用弁開度補正指令と、前記測定温度が前記目標温度となるように先行制御する補助蒸気用弁開度先行指令とを加算してなる補助蒸気用補正弁開度指令を、前記補助蒸気用制御弁に送って前記補助蒸気用制御弁の弁開度を制御する補助蒸気用制御部と、
第１の蒸気源切替信号が出力されたときには、前記自缶蒸気用制御部は、第１の蒸気源切替信号が出力された時点における自缶蒸気用補正弁開度指令の値を保持し、自缶蒸気用補正弁開度指令の値を前記保持した値から予め決めた設定時間において次第に減少させて０にする一方、前記補助蒸気用制御部は、１の値から前記自缶蒸気使用係数を引いた差値を前記補助蒸気用補正弁開度指令に対して乗算してなる補助蒸気用調整弁開度指令により前記補助蒸気用制御弁の弁開度を制御し、
第２の蒸気源切替信号が出力された時には、前記補助蒸気用制御部は、第２の蒸気源切替信号が出力された時点における補助蒸気用補正弁開度指令の値を保持し、補助蒸気用補正弁開度指令の値を前記保持した値から予め決めた設定時間において次第に減少させて０にする一方、前記自缶蒸気用制御部は、前記自缶蒸気使用係数を前記自缶蒸気用補正弁開度指令に対して乗算してなる自缶蒸気用調整弁開度指令により前記自缶蒸気用制御弁の弁開度を制御することを特徴とする。
【００２３】
また本発明の構成は、
前記自缶蒸気用制御部は、
前記目標温度と前記測定温度との偏差である自缶蒸気用の偏差温度を求める自缶蒸気用の偏差演算部と、
前記自缶蒸気用の偏差温度を比例・積分演算して自缶蒸気用の弁開度補正指令を求める自缶蒸気用の比例・積分演算部と、
前記目標温度と大気温度との温度差を求める第２の自缶蒸気用の偏差演算部と、
前記ガスタービンの回転数が大きくなると値が大きくなる自缶蒸気用の弁開度指令を出力する自缶蒸気用の弁開度指令演算関数部と、
前記ガスタービンの入口案内翼の開度が大きくなると係数値が大きくなる自缶蒸気用の入口案内翼用補正係数を出力する自缶蒸気用の入口案内翼用補正係数演算関数部と、
前記温度差が大きくなると係数値が大きくなる自缶蒸気用の温度差用補正係数を出力する自缶蒸気用の温度差用補正係数演算関数部と、
前記熱交換器に供給される自缶蒸気の圧力が、予め決めた基準圧力と等しいときには係数値が１となり、前記基準圧力よりも大きくなると係数値が１よりも小さくなり、前記基準圧力よりも小さくなると係数値が１よりも大きくなる自缶蒸気用の蒸気圧力用補正係数を出力する自缶蒸気用の蒸気圧力用補正係数演算関数部と、
前記熱交換器に供給される自缶蒸気の温度が、予め決めた基準温度と等しいときには係数値が１となり、前記基準温度よりも大きくなると係数値が１よりも小さくなり、前記基準温度よりも小さくなると係数値が１よりも大きくなる自缶蒸気用の蒸気温度用補正係数を出力する自缶蒸気用の蒸気温度用補正係数演算関数部と、
前記自缶蒸気用の弁開度指令と前記自缶蒸気用の入口案内翼用補正係数と前記自缶蒸気用の温度差用補正係数と前記自缶蒸気用の蒸気圧力用補正係数と前記自缶蒸気用の蒸気温度用補正係数を乗算して自缶蒸気用の弁開度先行指令を出力する自缶蒸気用の乗算部と、
前記自缶蒸気用の弁開度補正指令と前記自缶蒸気用の弁開度先行指令とを加算して自缶蒸気用の補正弁開度指令を出力する自缶蒸気用の加算部とを有し、
前記補助蒸気用制御部は、
前記目標温度と前記測定温度との偏差である補助蒸気用の偏差温度を求める補助蒸気用の偏差演算部と、
前記補助蒸気用の偏差温度を比例・積分演算して補助蒸気用の弁開度補正指令を求める補助蒸気用の比例・積分演算部と、
前記目標温度と大気温度との温度差を求める第２の補助蒸気用の偏差演算部と、
前記ガスタービンの回転数が大きくなると値が大きくなる補助蒸気用の弁開度指令を出力する補助蒸気用の弁開度指令演算関数部と、
前記ガスタービンの入口案内翼の開度が大きくなると係数値が大きくなる補助蒸気用の入口案内翼用補正係数を出力する補助蒸気用の入口案内翼用補正係数演算関数部と、
前記温度差が大きくなると係数値が大きくなる補助蒸気用の温度差用補正係数を出力する補助蒸気用温度差用の補正係数演算関数部と、
前記熱交換器に供給される補助蒸気の圧力が、予め決めた基準圧力と等しいときには係数値が１となり、前記基準圧力よりも大きくなると係数値が１よりも小さくなり、前記基準圧力よりも小さくなると係数値が１よりも大きくなる補助蒸気用の蒸気圧力用補正係数を出力する補助蒸気用の蒸気圧力用補正係数演算関数部と、
前記熱交換器に供給される補助蒸気の温度が、予め決めた基準温度と等しいときには係数値が１となり、前記基準温度よりも大きくなると係数値が１よりも小さくなり、前記基準温度よりも小さくなると係数値が１よりも大きくなる補助蒸気用の蒸気温度用補正係数を出力する補助蒸気用の蒸気温度用補正係数演算関数部と、
前記補助蒸気用の弁開度指令と前記補助蒸気用の入口案内翼用の補正係数と前記補助蒸気用の温度差用補正係数と前記補助蒸気用の蒸気圧力用補正係数と前記補助蒸気用の蒸気温度用の補正係数を乗算して補助蒸気用の弁開度先行指令を出力する補助蒸気用の乗算部と、
前記補助蒸気用の弁開度補正指令と前記補助蒸気用の弁開度先行指令とを加算して補助蒸気用の補正弁開度指令を出力する補助蒸気用の加算部とを有することを特徴とする。
【発明の効果】
【００２４】
本発明によれば、ガスタービンの起動時において熱交換器に供給する蒸気を、補助蒸気から自缶蒸気に切り替えるときには、補助蒸気の供給量を制御する補助蒸気用制御弁を一定レートで絞っていくと共に、自缶蒸気の供給量を制御する自缶蒸気制御弁を、加熱された空気の温度が目標温度となるように開度制御しつつその開度割合を増加していく。
つまり起動時においては、補助蒸気用制御弁を一定レートで絞ると共に、自缶蒸気用制御弁に対しては開度制御をしつつ開けていく。
【００２５】
また、ガスタービンの停止時において熱交換器に供給する蒸気を、自缶蒸気から補助蒸気に切り替えるときには、自缶蒸気の供給量を制御する自缶蒸気用制御弁を一定レートで絞っていくと共に、補助蒸気の供給量を制御する補助蒸気制御弁を、加熱された空気の温度が目標温度となるように開度制御しつつその開度割合を増加していく。
つまり、停止時においては、自缶蒸気用制御弁を一定レートで絞ると共に、補助蒸気用制御弁に対しては開度制御をしつつ開けていく。
【００２６】
このように、自缶蒸気用制御弁と補助蒸気用制御弁の、一方を絞りつつ他方を開く際に、一方は一定レートで絞り他方は開度制御をしつつ開くようにしているため、熱交換器に供給する蒸気を、自缶蒸気と補助蒸気とで切り替える場合であっても、加熱する空気の温度を安定して目標温度に維持することができる。
【発明を実施するための最良の形態】
【００２７】
以下に本発明を実施するための最良の形態を、実施例に基づき詳細に説明する。
【実施例】
【００２８】
＜ガスタービンプラントの全体構成＞
図１は、本発明の実施例に係るガスタービンの吸気加熱制御装置を適用した、ガスタービンプラントを示す。同図に示すように、ガスタービン１０は、圧縮機１１と燃焼器１２とタービン１３を主要部材として構成されている。このガスタービン１０の圧縮機１１には、吸気ダクト１５を介して、外部から取り込んだ空気（大気）Ａが吸入されるようになっている。
【００２９】
圧縮機１１の入口には入口案内翼（ＩＧＶ）１１ａが備えられており、このＩＧＶ１１ａの開度により、圧縮機１１に吸入される空気量が制御される。なお、ＩＧＶ１１ａの開度は、負荷状態や運転状態等に応じて制御される。
【００３０】
発電機２０は、ガスタービン１０に連結されており、ガスタービン１０により回転駆動して発電をする。
【００３１】
吸気ダクト１５には吸気加熱用の熱交換器３０が介装されている。この熱交換器３０には、自缶蒸気管４００を介して自缶蒸気Ｓ１が供給されると共に、補助蒸気管５００を介して補助蒸気Ｓ２が供給される。熱交換器３０は、供給された蒸気Ｓ（自缶蒸気Ｓ１及び補助蒸気Ｓ２を総称して「蒸気Ｓ」と称する）の熱により、ガスタービン１０に吸入される空気Ａを加熱（熱交換）している。
【００３２】
自缶蒸気管４００には、自缶蒸気用制御弁４１が介装され、更に、自缶蒸気Ｓ１の圧力を検出する圧力計４２と、自缶蒸気Ｓ１の温度を検出する温度計４３が備えられている。
【００３３】
自缶蒸気用制御弁４１の弁開度を調整することにより、熱交換器３０に供給される自缶蒸気Ｓ１の量が制御される。この自缶蒸気用制御弁４１の開度制御は、後述する制御装置１００の自缶蒸気用制御部２００により行われる。
【００３４】
圧力計４２により検出した自缶蒸気圧力ＳＰ１と、温度計４３により検出した自缶蒸気温度ＳＴ１は、後述する制御装置１００の自缶蒸気用先行制御部２１０（具体的には、補正係数演算関数部２１１，２１２）に送られる。
【００３５】
補助蒸気管５００には、補助蒸気用制御弁５１が介装され、更に、補助蒸気Ｓ２の圧力を検出する圧力計５２と、補助蒸気Ｓ２の温度を検出する温度計５３が備えられている。
【００３６】
補助蒸気用制御弁５１の弁開度を調整することにより、熱交換器３０に供給される補助蒸気Ｓ２の量が制御される。この補助蒸気用制御弁５１の開度制御は、後述する制御装置１００の補助蒸気用制御部３００により行われる。
【００３７】
圧力計５２により検出した補助蒸気圧力ＳＰ２と、温度計５３により検出した補助蒸気温度ＳＴ２は、後述する制御装置１００の補助蒸気用先行制御部３１０（具体的には、補正係数演算関数部３１１，３１２）に送られる。
【００３８】
吸気ダクト１５のうち、熱交換器３０と圧縮機１１の入口段との間の位置には、温度計４０が取り付けられている。この温度計４０は、熱交換器３０にて加熱されてガスタービン１０の圧縮機１１に吸入される空気Ａ′の温度を測定している。このようにして測定された吸入空気Ａ′の測定温度ｔ１は、後述する制御装置１００（具体的には、偏差演算部２０１，３０１）に送られる。
【００３９】
＜制御装置の全体構成＞
制御装置１００は、蒸気源切替信号発生部１０１と、自缶蒸気使用係数発生部１０２と、自缶蒸気用制御部２００と、補助蒸気用制御部３００を有している。
詳細は後述するが、蒸気源切替信号発生部１０１と自缶蒸気使用係数発生部１０２は、蒸気源の切替をするときに切替がスムーズに行われるように動作する機能ブロックである。
【００４０】
蒸気源切替信号発生部１０１は、発電機２０の出力を検出しており、発電機出力が、規定値（例えば定格出力の５０％）以上の値から減少してきて規定値未満になったときに、自缶蒸気Ｓ１から補助蒸気Ｓ２に切り替える指令信号である蒸気源切替信号ＴＳ１を出力する。蒸気源切替信号ＴＳ１は、自缶蒸気用制御部２００（具体的には、加算部２１８）と自缶蒸気使用係数発生部１０２に送られる。
【００４１】
また、蒸気源切替信号発生部１０１は、発電機２０の出力を検出しており、発電機出力が、規定値（例えば定格出力の５０％）未満の値から増加してきて規定値以上になったときに、補助蒸気Ｓ２から自缶蒸気Ｓ１に切り替える指令信号である蒸気源切替信号ＴＳ２を出力する。蒸気源切替信号ＴＳ２は、補助蒸気用制御部３００（具体的には、加算部３１８）と自缶蒸気使用係数発生部１０２に送られる。
【００４２】
自缶蒸気使用係数発生部１０２は、自缶蒸気使用係数Ｊを自缶蒸気用制御部２００（具体的には、出力調整部２０３）と補助蒸気用制御部３００（具体的には、出力調整部３０４）に送る。この自缶蒸気使用係数Ｊの値は、次のように変化する（図４（ｂ）参照）。
（１）自缶蒸気使用係数発生部１０２に、蒸気源切替信号ＴＳ１が入力されると、自缶蒸気使用係数Ｊの値は、予め決めた設定時間において、「１」から次第に減少して「０」となり、予め決めた時間が経過した後は「０」を保持する（図４（ｂ）のγ〜δの期間）。
（２）自缶蒸気使用係数発生部１０２に、蒸気源切替信号ＴＳ２が入力されると、自缶蒸気使用係数Ｊの値は、予め決めた設定時間において、「０」から次第に増加して「１」となり、予め決めた時間が経過した後は「１」を保持する（図４（ｂ）のα〜βの期間）。
【００４３】
＜自缶蒸気用制御部の構成と基本的動作＞
自缶蒸気用制御部２００は、偏差演算部２０１と比例・積分演算部２０２と、出力調整部２０３と、自缶蒸気用先行制御部２１０を有している。
この自缶蒸気用制御部２００には、目標温度ＴＯ（例えば＋５°Ｃ）が予め設定されている。この目標温度ＴＯは、ガスタービン１０を安定して燃焼（運転）させることができる吸入空気温度として、各ガスタービン１０の特性に応じて予め設定した温度である。
【００４４】
偏差演算部２０１は、測定温度ｔ１と目標温度ＴＯとの偏差演算をして、偏差温度Δｔ１（＝ＴＯ−ｔ１）を求める。比例・積分演算部２０２は偏差温度Δｔ１をＰＩ演算して、弁開度補正指令Ｐ１を出力する。
【００４５】
自缶蒸気用先行制御部２１０は、補正係数演算関数部２１１〜２１３，２１５と、弁開度指令演算関数部２１４と、偏差演算部２１６と、乗算部２１７と、加算部２１８を有している。
【００４６】
補正係数演算関数部２１１には、圧力計４２により測定した自缶蒸気Ｓ１の圧力を示す自缶蒸気圧力ＳＰ１が入力され、補正係数演算関数部２１２には、温度計４３により測定した自缶蒸気Ｓ１の温度を示す自缶蒸気温度ＳＴ１が入力される。
補正係数演算関数部２１３には、ＩＧＶ１１ａの開度を検出するセンサ（図示省略）により測定したＩＧＶ開度ＯＰが入力され、弁開度指令関数演算部２１４には、ガスタービン１０の回転数を検出するセンサ（図示省略）により測定したガスタービン回転数Ｎが入力される。
偏差演算部２１６には、大気の温度を検出するセンサ（図示省略）により測定した大気温度ｔ２と、目標温度ＴＯが入力される。この偏差演算部２１６は、大気温度ｔ２と目標温度ＴＯとの偏差演算をして、温度差ｄｔ１（＝ＴＯ−ｔ２）を求める。
【００４７】
補正係数演算関数部２１１は、図２（ａ）に示すような補正係数演算関数ＦＸ１１を有しており、自缶蒸気圧力ＳＰ１が入力されると、補正係数演算関数ＦＸ１１を用いて、入力された自缶蒸気圧力ＳＰ１に対応した補正係数ａ１を出力する。
【００４８】
補正係数演算関数ＦＸ１１は、自缶蒸気圧力ＳＰ１が大きくなると補正係数ａ１が減少する関数特性を有しており、例えば自缶蒸気圧力ＳＰ１が標準圧力（例えば０．８［ＭＰａ］）であれば値が１となっている補正係数ａ１を出力し、自缶蒸気圧力ＳＰ１が標準圧力よりも小さくなれば値が１よりも大きな補正係数ａ１を出力し、自缶蒸気圧力ＳＰ１が標準圧力よりも大きくなれば値が１よりも小さな補正係数ａ１を出力する。
【００４９】
補正係数演算関数部２１２は、図２（ｂ）に示すような補正係数演算関数ＦＸ１２を有しており、自缶蒸気温度ＳＴ１が入力されると、補正係数演算関数ＦＸ１２を用いて、入力された自缶蒸気温度ＳＴ１に対応した補正係数ｂ１を出力する。
【００５０】
補正係数演算関数ＦＸ１２は、自缶蒸気温度ＳＴ１が大きくなると補正係数ｂ１が減少する関数特性を有しており、例えば自缶蒸気温度ＳＴ１が標準温度（例えば２４４°Ｃ）であれば値が１となっている補正係数ｂ１を出力し、自缶蒸気温度ＳＴ１が標準温度よりも小さくなれば値が１よりも大きな補正係数ｂ１を出力し、自缶蒸気温度ＳＴ１が標準温度よりも大きくなれば値が１よりも小さな補正係数ｂ１を出力する。
【００５１】
補正係数演算関数部２１３は、図２（ｃ）に示すような補正係数演算関数ＦＸ１３を有しており、ＩＧＶ開度ＯＰが入力されると、補正係数演算関数ＦＸ１３を用いて、入力されたＩＧＶ開度ＯＰに対応した補正係数ｃ１を出力する。
【００５２】
補正係数演算関数ＦＸ１３は、ＩＧＶ開度ＯＰが大きくなると補正係数ｃ１が増加する関数特性を有しており、例えばＩＧＶ開度ＯＰが０％であれば値が０．３となっている補正係数ｃ１を出力し、ＩＧＶ開度ＯＰが５０％であれば値が０．５となっている補正係数ｃ１を出力し、ＩＧＶ開度ＯＰが１００％であれば値が１．０となっている補正係数ｃ１を出力する。
【００５３】
弁開度指令演算関数部２１４は、図２（ｄ）に示すような弁開度指令演算関数ＦＸ１４を有しており、ガスタービン回転数Ｎが入力されると、弁開度指令演算関数ＦＸ１４を用いて、入力されたガスタービン回転数Ｎに対応した適切な弁開度指令ｄ１を出力する。
【００５４】
弁開度指令演算関数ＦＸ１４は、ガスタービン回転数Ｎが大きくなると弁開度指令ｄ１が次第に増加する関数特性を有しており、例えばガスタービン回転数Ｎが６００［ｒｐｍ］であれば値が４．１％となっている弁開度指令ｄ１を出力し、ガスタービン回転数Ｎが３６００［ｒｐｍ］であれば値が１７．４％となっている弁開度指令ｄ１を出力する。
【００５５】
補正係数演算関数部２１５は、図２（ｅ）に示すような補正係数演算関数ＦＸ１５を有しており、温度差ｄｔ１が入力されると、補正係数演算関数ＦＸ１５を用いて、入力された温度差ｄｔ１に対応した補正係数ｅ１を出力する。
【００５６】
補正係数演算関数ＦＸ１５は、温度差ｄｔ１が大きくなると補正係数ｅ１が増加する関数特性を有しており、例えば温度差ｄｔ１が１０°Ｃであれば値が０．６７となっている補正係数ｅ１を出力し、温度差ｄｔ１が１５°Ｃであれば値が１．０となっている補正係数ｅ１を出力し、温度差ｄｔ１が２５°Ｃであれば値が１．６２となっている補正係数ｅ１を出力する。
【００５７】
乗算部２１７は、弁開度指令ｄ１に、補正係数ａ１，ｂ１，ｃ１，ｅ１を全て乗算して、弁開度先行指令ｆ１を出力する。更に加算部２１８は、比例・積分演算部２０２から出力される弁開度補正指令Ｐ１に弁開度先行指令ｆ１を加算して、補正弁開度指令ＰＡ１を出力する。
【００５８】
なお、加算部２１８は、蒸気源切替信号ＴＳ１が入力されると、蒸気源切替信号ＴＳ１が入力された時点における補正弁開度指令ＰＡ１の値をトラッキング（保持）し、トラッキングした値となっている補正弁開度指令ＰＡ１を出力し続ける。
【００５９】
出力調整部２０３は、補正弁開度指令ＰＡ１に自缶蒸気使用係数Ｊ（その値は「０」〜「１」）を乗算して、調整弁開度指令ＰＢ１を出力する。
この出力調整部２０３は、詳細は後述するが、蒸気源の切替をするときに切替がスムーズに行われるように動作する機能ブロックである。
【００６０】
＜補助蒸気用制御部の構成と基本的動作＞
補助蒸気用制御部３００は、偏差演算部３０１と比例・積分演算部３０２と、出力調整部３０３と、偏差演算部３０４と、信号発生部３０５と、補助蒸気用先行制御部３１０を有している。
この補助蒸気用制御部３００には、目標温度ＴＯ（例えば＋５°Ｃ）が予め設定されている。この目標温度ＴＯは、ガスタービン１０を安定して燃焼（運転）させることができる吸入空気温度として、各ガスタービン１０の特性に応じて予め設定した温度である。
【００６１】
偏差演算部３０１は、測定温度ｔ１と目標温度ＴＯとの偏差演算をして、偏差温度Δｔ２（＝ＴＯ−ｔ１）を求める。比例・積分演算部３０２は偏差温度Δｔ２をＰＩ演算して、弁開度補正指令Ｐ２を出力する。
【００６２】
補助蒸気用先行制御部３１０は、補正係数演算関数部３１１〜３１３，３１５と、弁開度指令演算関数部３１４と、偏差演算部３１６と、乗算部３１７と、加算部３１８を有している。
【００６３】
補正係数演算関数部３１１には、圧力計５２により測定した補助蒸気Ｓ２の圧力を示す補助蒸気圧力ＳＰ２が入力され、補正係数演算関数部３１２には、温度計５３により測定した補助蒸気Ｓ２の温度を示す補助蒸気温度ＳＴ２が入力される。
補正係数演算関数部３１３には、ＩＧＶ１１ａの開度を検出するセンサ（図示省略）により測定したＩＧＶ開度ＯＰが入力され、弁開度指令関数演算部３１４には、ガスタービン１０の回転数を検出するセンサ（図示省略）により測定したガスタービン回転数Ｎが入力される。
偏差演算部３１６には、大気の温度を検出するセンサ（図示省略）により測定した大気温度ｔ２と、目標温度ＴＯが入力される。この偏差演算部３１６は、大気温度ｔ２と目標温度ＴＯとの偏差演算をして、温度差ｄｔ２（＝ＴＯ−ｔ２）を求める。
【００６４】
補正係数演算関数部３１１は、図３（ａ）に示すような補正係数演算関数ＦＸ２１を有しており、補助蒸気圧力ＳＰ２が入力されると、補正係数演算関数ＦＸ２１を用いて、入力された補助蒸気圧力ＳＰ２に対応した補正係数ａ２を出力する。
【００６５】
補正係数演算関数ＦＸ２１は、補助蒸気圧力ＳＰ２が大きくなると補正係数ａ２が減少する関数特性を有しており、例えば補助蒸気圧力ＳＰ２が標準圧力（例えば１．４［ＭＰａ］）であれば値が１となっている補正係数ａ２を出力し、補助蒸気圧力ＳＰ２が標準圧力よりも小さくなれば値が１よりも大きな補正係数ａ２を出力し、補助蒸気圧力ＳＰ２が標準圧力よりも大きくなれば値が１よりも小さな補正係数ａ２を出力する。
【００６６】
補正係数演算関数部３１２は、図３（ｂ）に示すような補正係数演算関数ＦＸ２２を有しており、補助蒸気温度ＳＴ２が入力されると、補正係数演算関数ＦＸ２２を用いて、入力された補助蒸気温度ＳＴ２に対応した補正係数ｂ２を出力する。
【００６７】
補正係数演算関数ＦＸ２２は、補助蒸気温度ＳＴ２が大きくなると補正係数ｂ２が減少する関数特性を有しており、例えば補助蒸気温度ＳＴ２が標準温度（例えば４００°Ｃ）であれば値が１となっている補正係数ｂ２を出力し、補助蒸気温度ＳＴ２が標準温度よりも小さくなれば値が１よりも大きな補正係数ｂ２を出力し、補助蒸気温度ＳＴ２が標準温度よりも大きくなれば値が１よりも小さな補正係数ｂ２を出力する。
【００６８】
補正係数演算関数部３１３は、図３（ｃ）に示すような補正係数演算関数ＦＸ２３を有しており、ＩＧＶ開度ＯＰが入力されると、補正係数演算関数ＦＸ２３を用いて、入力されたＩＧＶ開度ＯＰに対応した補正係数ｃ２を出力する。
【００６９】
補正係数演算関数ＦＸ２３は、ＩＧＶ開度ＯＰが大きくなると補正係数ｃ２が増加する関数特性を有しており、例えばＩＧＶ開度ＯＰが０％であれば値が０．３となっている補正係数ｃ２を出力し、ＩＧＶ開度ＯＰが５０％であれば値が０．５となっている補正係数ｃ２を出力し、ＩＧＶ開度ＯＰが１００％であれば値が１．０となっている補正係数ｃ２を出力する。
【００７０】
弁開度指令演算関数部３１４は、図３（ｄ）に示すような弁開度指令演算関数ＦＸ２４を有しており、ガスタービン回転数Ｎが入力されると、弁開度指令演算関数ＦＸ２４を用いて、入力されたガスタービン回転数Ｎに対応した適切な弁開度指令ｄ２を出力する。
【００７１】
弁開度指令演算関数ＦＸ２４は、ガスタービン回転数Ｎが大きくなると弁開度指令ｄ２が次第に増加する関数特性を有しており、例えばガスタービン回転数Ｎが６００［ｒｐｍ］であれば値が４．１％となっている弁開度指令ｄ２を出力し、ガスタービン回転数Ｎが３６００［ｒｐｍ］であれば値が１７．４％となっている弁開度指令ｄ２を出力する。
【００７２】
補正係数演算関数部３１５は、図３（ｅ）に示すような補正係数演算関数ＦＸ２５を有しており、温度差ｄｔ２が入力されると、補正係数演算関数ＦＸ２５を用いて、入力された温度差ｄｔ２に対応した補正係数ｅ２を出力する。
【００７３】
補正係数演算関数ＦＸ２５は、温度差ｄｔ２が大きくなると補正係数ｅ２が増加する関数特性を有しており、例えば温度差ｄｔ２が１０°Ｃであれば値が０．６７となっている補正係数ｅ２を出力し、温度差ｄｔ２が１５°Ｃであれば値が１．０となっている補正係数ｅ２を出力し、温度差ｄｔ２が２５°Ｃであれば値が１．６２となっている補正係数ｅ２を出力する。
【００７４】
乗算部３１７は、弁開度指令ｄ２に、補正係数ａ２，ｂ２，ｃ２，ｅ２を全て乗算して、弁開度先行指令ｆ２を出力する。更に加算部３１８は、比例・積分演算部３０２から出力される弁開度補正指令Ｐ２に弁開度先行指令ｆ２を加算して、補正弁開度指令ＰＡ２を出力する。
【００７５】
なお、加算部３１８は、蒸気源切替信号ＴＳ２が入力されると、蒸気源切替信号ＴＳ２が入力された時点における補正弁開度指令ＰＡ２の値をトラッキング（保持）し、トラッキングした値となっている弁開度補正指令Ｐ２を出力し続ける。
【００７６】
信号発生部３０５は値が「１」となっている単位信号ＳＧを発生し、偏差演算部３０４は単位信号ＳＧから自缶蒸気使用係数Ｊを引いた差値（１−Ｊ）を出力する。
出力調整部３０３は、補正弁開度指令ＰＡ２に、差値（１−Ｊ）を乗算して、調整弁開度指令ＰＢ２を出力する。
この出力調整部３０３は、詳細は後述するが、蒸気源の切替をするときに切替がスムーズに行われるように動作する機能ブロックである。
【００７７】
＜発電機出力が規定値未満のときにおける、補助蒸気用制御部の制御動作＞
ここで、発電機２０の出力が規定値（例えば定格出力の５０％）未満となって、自缶蒸気使用係数発生部１０２から出力される自缶蒸気使用係数Ｊの値が「０」となっているときにおいて、補助蒸気用制御部３００により補助蒸気用制御弁５１の開度調整をする制御動作を説明する。
【００７８】
なお、このときには、自缶蒸気使用係数Ｊの値が「０」であるため、自缶蒸気用制御部２００から出力される調整弁開度指令ＰＢ１は「０」となり、自缶蒸気用制御弁４１は全閉となっており、熱交換器３０には、補助蒸気Ｓ２のみが供給される。
また、Ｊ＝０であるため、偏差演算部３０４から出力される差値（１−Ｊ）＝１となり、補正弁開度指令ＰＡ２の値と、調整弁開度指令ＰＢ２の値とが等しくなっている。
【００７９】
測定温度ｔ１が低いときには、弁開度補正指令Ｐ２及び補正弁開度指令ＰＡ２ひいては調整弁開度指令ＰＢ２が大きくなって補助蒸気用制御弁５１の弁開度が大きくなり、熱交換器３０に供給される蒸気量が増加する。
一方、測定温度ｔ１が高くなってくると、弁開度補正指令Ｐ２及び補正弁開度指令ＰＡ２ひいては調整弁開度指令ＰＢ２が小さくなって補助蒸気用制御弁５１の弁開度が小さくなり、熱交換器３０に供給される蒸気量が減少する。
この制御は従来のフィードバック制御と同様な制御動作である。
【００８０】
ガスタービン回転数Ｎが増加してくると、弁開度指令ｄ２及び弁開度先行指令ｆ２がガスタービン回転数Ｎの増加に伴って増加し、補正弁開度指令ＰＡ２ひいては調整弁開度指令ＰＢ２もガスタービン回転数Ｎの増加に伴って増加して補助蒸気用制御弁５１の開度が増加し、熱交換器３０に供給される蒸気量がガスタービン回転数Ｎの増加に伴って増加するという先行制御（フィードフォワード制御）が行われる。
【００８１】
逆に、ガスタービン回転数Ｎが減少してくると、弁開度指令ｄ２及び弁開度先行指令ｆ２がガスタービン回転数Ｎの減少に伴って減少し、補正弁開度指令ＰＡ２ひいては調整弁開度指令ＰＢ２もガスタービン回転数Ｎの減少に伴って減少して補助蒸気用制御弁５１の開度が減少し、熱交換器３０に供給される蒸気量がガスタービン回転数Ｎの減少に伴って減少するという先行制御（フィードフォワード制御）が行われる。
【００８２】
このように、ガスタービン回転数Ｎの増加に応じて、先行して補助蒸気用制御弁５１の開度を増加して熱交換器３０に供給する蒸気量を増加させる先行制御をしているため、ガスタービン１０の回転数増加に応じて吸入空気量が増加しても、この吸入する空気Ａ′の温度を安定燃焼可能な温度に維持することができる。
また、ガスタービン回転数Ｎの減少に応じて、先行して補助蒸気用制御弁５１の開度を減少して熱交換器３０に供給する蒸気量を減少させる先行制御をしているため、ガスタービン１０の回転数減少に応じて吸入空気量が減少しても、この吸入する空気Ａ′の温度を安定燃焼可能な温度に維持することができる。
【００８３】
また、ＩＧＶ開度ＯＰが増加してくると、補正係数ｃ２及び弁開度先行指令ｆ２がＩＧＶ開度ＯＰの増加に伴って大きくなり、補正弁開度指令ＰＡ２ひいては調整弁開度指令ＰＢ２もＩＧＶ開度ＯＰの増加に伴って大きくなって補助蒸気用制御弁５１の弁開度が大きくなり、熱交換器３０に供給される蒸気量がＩＧＶ開度ＯＰの増加に伴って増加するという先行制御（フィードフォワード制御）が行われる。
逆に、ＩＧＶ開度ＯＰが減少してくると、補正係数ｃ２及び弁開度先行指令ｆ２がＩＧＶ開度ＯＰの減少に伴って小さくなり、補正弁開度指令ＰＡ２ひいては調整弁開度指令ＰＢ２もＩＧＶ開度ＯＰの減少に伴って小さくなって補助蒸気用制御弁５１の弁開度が小さくなり、熱交換器３０に供給される蒸気量がＩＧＶ開度ＯＰの減少に伴って減少するという先行制御（フィードフォワード制御）が行われる。
【００８４】
このように、ＩＧＶ開度ＯＰの増加に応じて、先行して補助蒸気用制御弁５１の開度を大きくして熱交換器３０に供給する蒸気量を増加させる先行制御をしているため、ＩＧＶ１１ａの開度が大きくなって吸入空気量が急に増加しても、この吸入する空気Ａ′の温度を安定燃焼可能な温度に維持することができる。
また、ＩＧＶ開度ＯＰの減少に応じて、先行して補助蒸気用制御弁５１の開度を小さくして熱交換器３０に供給する蒸気量を減少させる先行制御をしているため、ＩＧＶ１１ａの開度が小さくなって吸入空気量が急に減少しても、この吸入する空気Ａ′の温度を安定燃焼可能な温度に維持することができる。
【００８５】
また、大気温度ｔ２が低下してくると温度差ｄｔ２が大きくなるため、補正係数ｅ２及び弁開度先行指令ｆ２が大気温度ｔ２の低下に伴って大きくなり、補正弁開度指令ＰＡ２ひいては調整弁開度指令ＰＢ２も大気温度ｔ２の低下に伴って大きくなって補助蒸気用制御弁５１の弁開度が大きくなり、熱交換器３０に供給される蒸気量が大気温度ｔ２の低下に伴って増加するという先行制御（フィードフォワード制御）が行われる。
逆に、大気温度ｔ２が上昇してくると温度差ｄｔ２が小さくなるため、補正係数ｅ２及び弁開度先行指令ｆ２が大気温度ｔ２の上昇に伴って小さくなり、補正弁開度指令ＰＡ２ひいては調整弁開度指令ＰＢ２も大気温度ｔ２の上昇に伴って小さくなって補助蒸気用制御弁５１の弁開度が小さくなり、熱交換器３０に供給される蒸気量が大気温度ｔ２の増加に伴って減少するという先行制御（フィードフォワード制御）が行われる。
【００８６】
このように、大気温度ｔ２の増減に応じて補助蒸気用制御弁５１の弁開度を先行制御して熱交換器３０に供給する蒸気量を制御しているため、大気温度ｔ２が増減しても、吸入する空気Ａ′の温度を安定燃焼可能な温度に維持することができる。
【００８７】
また、蒸気圧力ＳＰ２が増加してくると、補正係数ａ２及び弁開度先行指令ｆ２が蒸気圧力ＳＰの増加に伴って小さくなり、補正弁開度指令ＰＡ２ひいては調整弁開度指令ＰＢ２も蒸気圧力ＳＰ２の増加に伴って小さくなって補助蒸気用制御弁５１の開度が小さくなり、熱交換器３０に供給される蒸気量が蒸気圧力ＳＰ２の増加に伴って減少するという先行制御（フィードフォワード制御）が行われる。
逆に、蒸気圧力ＳＰ２が減少してくると、補正係数ａ２及び弁開度先行指令ｆ２が蒸気圧力ＳＰ２の減少に伴って大きくなり、補正弁開度指令ＰＡ２ひいては調整弁開度指令ＰＢ２も蒸気圧力ＳＰ２の減少に伴って大きくなって補助蒸気用制御弁５１の開度が大きくなり、熱交換器３０に供給される蒸気量が蒸気圧力ＳＰの減少に伴って増加するという先行制御（フィードフォワード制御）が行われる。
【００８８】
このように、蒸気圧力ＳＰ２の増減に応じて補助蒸気用制御弁５１の弁開度を先行制御して熱交換器３０に供給する蒸気量を制御しているため、蒸気圧力ＳＰ２が増減しても、吸入する空気Ａ′の温度を安定燃焼可能な温度に維持することができる。
【００８９】
また、蒸気温度ＳＴ２が増加してくると、補正係数ｂ２及び弁開度先行指令ｆ２が蒸気温度ＳＴ２の増加に伴って小さくなり、補正弁開度指令ＰＡ２ひいては調整弁開度指令ＰＢ２も蒸気温度ＳＴ２の増加に伴って小さくなって補助蒸気用制御弁５１の開度が小さくなり、熱交換器３０に供給される蒸気量が蒸気温度ＳＴ２の増加に伴って減少するという先行制御（フィードフォワード制御）が行われる。
逆に、蒸気温度ＳＴ２が減少してくると、補正係数ｂ２及び弁開度先行指令ｆ２が蒸気温度ＳＴ２の減少に伴って大きくなり、補正弁開度指令ＰＡ２ひいては調整弁開度指令ＰＢ２も蒸気温度ＳＴ２の減少に伴って大きくなって補助蒸気用制御弁５１の開度が大きくなり、熱交換器３０に供給される蒸気量が蒸気温度ＳＴの減少に伴って増加するという先行制御（フィードフォワード制御）が行われる。
【００９０】
このように、蒸気温度ＳＴ２の増減に応じて補助蒸気用制御弁５１の弁開度を先行制御して熱交換器３０に供給する蒸気量を制御しているため、蒸気温度ＳＴ２が増減しても、吸入する空気Ａ′の温度を安定燃焼可能な温度に維持することができる。
【００９１】
＜発電機出力が規定値以上のときにおける、自缶蒸気用制御部の制御動作＞
ここで、発電機２０の出力が規定値（例えば定格出力の５０％）以上となって、自缶蒸気使用係数発生部１０２から出力される自缶蒸気使用係数Ｊの値が「１」となっているときにおいて、自缶蒸気用制御部２００により自缶蒸気用制御弁４１の開度調整をする制御動作を説明する。
【００９２】
なお、このときには、自缶蒸気使用係数Ｊの値が「１」であるため、補助蒸気用制御部３００から出力される調整弁開度指令ＰＢ２は「０」となり、補助蒸気用制御弁５１は全閉となっており、熱交換器３０には、自缶蒸気Ｓ１のみが供給される。
また、Ｊ＝１であるため、補正弁開度指令ＰＡ１の値と、調整弁開度指令ＰＢ１の値とが等しくなっている。
【００９３】
測定温度ｔ１が低いときには、弁開度補正指令Ｐ１及び補正弁開度指令ＰＡ１ひいては調整弁開度指令ＰＢ１が大きくなって自缶蒸気用制御弁４１の弁開度が大きくなり、熱交換器３０に供給される蒸気量が増加する。
一方、測定温度ｔ１が高くなってくると、弁開度補正指令Ｐ１及び補正弁開度指令ＰＡ１ひいては調整弁開度指令ＰＢ１が小さくなって自缶蒸気用制御弁４１の弁開度が小さくなり、熱交換器３０に供給される蒸気量が減少する。
この制御は従来のフィードバック制御と同様な制御動作である。
【００９４】
ガスタービン回転数Ｎが増加すると、弁開度指令ｄ１及び弁開度先行指令ｆ１がガスタービン回転数Ｎの増加に伴って増加し、補正弁開度指令ＰＡ１ひいては調整弁開度指令ＰＢ１もガスタービン回転数Ｎの増加に伴って増加して自缶蒸気用制御弁４１の開度が増加し、熱交換器３０に供給される蒸気量がガスタービン回転数Ｎの増加に伴って増加するという先行制御（フィードフォワード制御）が行われる。
【００９５】
逆に、ガスタービン回転数Ｎが減少すると、弁開度指令ｄ１及び弁開度先行指令ｆ１がガスタービン回転数Ｎの減少に伴って減少し、補正弁開度指令ＰＡ１ひいては調整弁開度指令ＰＢ１もガスタービン回転数Ｎの減少に伴って減少して自缶蒸気用制御弁４１の開度が減少し、熱交換器３０に供給される蒸気量がガスタービン回転数Ｎの減少に伴って減少するという先行制御（フィードフォワード制御）が行われる。
【００９６】
このように、ガスタービン回転数Ｎの増加に応じて、先行して自缶蒸気用制御弁４１の開度を増加して熱交換器３０に供給する蒸気量を増加させる先行制御をしているため、ガスタービン１０の回転数増加に応じて吸入空気量が増加しても、この吸入する空気Ａ′の温度を安定燃焼可能な温度に維持することができる。
また、ガスタービン回転数Ｎの減少に応じて、先行して自缶蒸気用制御弁４１の開度を減少して熱交換器３０に供給する蒸気量を減少させる先行制御をしているため、ガスタービン１０の回転数減少に応じて吸入空気量が減少しても、この吸入する空気Ａ′の温度を安定燃焼可能な温度に維持することができる。
【００９７】
また、ＩＧＶ開度ＯＰが増加してくると、補正係数ｃ１及び弁開度先行指令ｆ１がＩＧＶ開度ＯＰの増加に伴って大きくなり、補正弁開度指令ＰＡ１ひいては調整弁開度指令ＰＢ１もＩＧＶ開度ＯＰの増加に伴って大きくなって自缶蒸気用制御弁４１の弁開度が大きくなり、熱交換器３０に供給される蒸気量がＩＧＶ開度ＯＰの増加に伴って増加するという先行制御（フィードフォワード制御）が行われる。
逆に、ＩＧＶ開度ＯＰが減少してくると、補正係数ｃ１及び弁開度先行指令ｆ１がＩＧＶ開度ＯＰの減少に伴って小さくなり、補正弁開度指令ＰＡ１ひいては調整弁開度指令ＰＢ１もＩＧＶ開度ＯＰの減少に伴って小さくなって自缶蒸気用制御弁４１の弁開度が小さくなり、熱交換器３０に供給される蒸気量がＩＧＶ開度ＯＰの減少に伴って減少するという先行制御（フィードフォワード制御）が行われる。
【００９８】
このように、ＩＧＶ開度ＯＰの増加に応じて、先行して自缶蒸気用制御弁４１の開度を大きくして熱交換器３０に供給する蒸気量を増加させる先行制御をしているため、ＩＧＶ１１ａの開度が大きくなって吸入空気量が急に増加しても、この吸入する空気Ａ′の温度を安定燃焼可能な温度に維持することができる。
また、ＩＧＶ開度ＯＰの減少に応じて、先行して自缶蒸気用制御弁４１の開度を小さくして熱交換器３０に供給する蒸気量を減少させる先行制御をしているため、ＩＧＶ１１ａの開度が小さくなって吸入空気量が急に減少しても、この吸入する空気Ａ′の温度を安定燃焼可能な温度に維持することができる。
【００９９】
また、大気温度ｔ２が低下してくると温度差ｄｔ１が大きくなるため、補正係数ｅ１及び弁開度先行指令ｆ１が大気温度ｔ２の低下に伴って大きくなり、補正弁開度指令ＰＡ１ひいては調整弁開度指令ＰＢ１も大気温度ｔ２の低下に伴って大きくなって自缶蒸気用制御弁４１の弁開度が大きくなり、熱交換器３０に供給される蒸気量が大気温度ｔ２の低下に伴って増加するという先行制御（フィードフォワード制御）が行われる。
逆に、大気温度ｔ２が上昇してくると温度差ｄｔ１が小さくなるため、補正係数ｅ１及び弁開度先行指令ｆ１が大気温度ｔ２の上昇に伴って小さくなり、補正弁開度指令ＰＡ１ひいては調整弁開度指令ＰＢ１も大気温度ｔ２の上昇に伴って小さくなって自缶蒸気用制御弁４１の弁開度が小さくなり、熱交換器３０に供給される蒸気量が大気温度ｔ２の増加に伴って減少するという先行制御（フィードフォワード制御）が行われる。
【０１００】
このように、大気温度ｔ２の増減に応じて自缶蒸気用制御弁４１の弁開度を先行制御して熱交換器３０に供給する蒸気量を制御しているため、大気温度ｔ２が増減しても、吸入する空気Ａ′の温度を安定燃焼可能な温度に維持することができる。
【０１０１】
また、蒸気圧力ＳＰ１が増加してくると、補正係数ａ１及び弁開度先行指令ｆ１が蒸気圧力ＳＰの増加に伴って小さくなり、補正弁開度指令ＰＡ１ひいては調整弁開度指令ＰＢ１も蒸気圧力ＳＰ１の増加に伴って小さくなって自缶蒸気用制御弁４１の開度が小さくなり、熱交換器３０に供給される蒸気量が蒸気圧力ＳＰ１の増加に伴って減少するという先行制御（フィードフォワード制御）が行われる。
逆に、蒸気圧力ＳＰ１が減少してくると、補正係数ａ１及び弁開度先行指令ｆ１が蒸気圧力ＳＰ１の減少に伴って大きくなり、補正弁開度指令ＰＡ１ひいては調整弁開度指令ＰＢ１も蒸気圧力ＳＰ１の減少に伴って大きくなって自缶蒸気用制御弁４１の開度が大きくなり、熱交換器３０に供給される蒸気量が蒸気圧力ＳＰの減少に伴って増加するという先行制御（フィードフォワード制御）が行われる。
【０１０２】
このように、蒸気圧力ＳＰ１の増減に応じて自缶蒸気用制御弁４１の弁開度を先行制御して熱交換器３０に供給する蒸気量を制御しているため、蒸気圧力ＳＰ１が増減しても、吸入する空気Ａ′の温度を安定燃焼可能な温度に維持することができる。
【０１０３】
また、蒸気温度ＳＴ１が増加してくると、補正係数ｂ１及び弁開度先行指令ｆ１が蒸気温度ＳＴ１の増加に伴って小さくなり、補正弁開度指令ＰＡ１ひいては調整弁開度指令ＰＢ１も蒸気温度ＳＴ１の増加に伴って小さくなって自缶蒸気用制御弁４１の開度が小さくなり、熱交換器３０に供給される蒸気量が蒸気温度ＳＴ１の増加に伴って減少するという先行制御（フィードフォワード制御）が行われる。
逆に、蒸気温度ＳＴ１が減少してくると、補正係数ｂ１及び弁開度先行指令ｆ１が蒸気温度ＳＴ１の減少に伴って大きくなり、補正弁開度指令ＰＡ１ひいては調整弁開度指令ＰＢ１も蒸気温度ＳＴ１の減少に伴って大きくなって自缶蒸気用制御弁４１の開度が大きくなり、熱交換器３０に供給される蒸気量が蒸気温度ＳＴの減少に伴って増加するという先行制御（フィードフォワード制御）が行われる。
【０１０４】
このように、蒸気温度ＳＴ１の増減に応じて自缶蒸気用制御弁４１の弁開度を先行制御して熱交換器３０に供給する蒸気量を制御しているため、蒸気温度ＳＴ１が増減しても、吸入する空気Ａ′の温度を安定燃焼可能な温度に維持することができる。
【０１０５】
＜補助蒸気から自缶蒸気へ切り替える第１の切替制御動作＞
次に、熱交換器３０に供給する蒸気を、補助蒸気Ｓ２から自缶蒸気Ｓ１に切り替える際の切替制御動作を、図１及び図４を参照して説明する。
【０１０６】
起動時には、自缶蒸気用制御弁４１は全閉となっており、補助蒸気用制御部３００により、補助蒸気用制御弁５１の開度が制御される。したがって、起動時には熱交換器３０には補助蒸気Ｓ２のみが供給される。
【０１０７】
このとき自缶蒸気使用係数発生部１０２から出力される自缶蒸気使用係数Ｊの値は「０」であり、補助蒸気用制御部３００から出力される調整弁開度指令ＰＢ２の値は、補正弁開度指令ＰＡ２の値と等しくなっている。
そして、調整弁開度指令ＰＢ２（＝ＰＡ２）は、フィードバック制御をする弁開度補正指令Ｐ２のみならず、フィードフォワード制御をする弁開度先行指令ｆ２を含むため、調整弁開度指令ＰＢ２により補助蒸気用制御弁５１の開度制御を行うことにより、吸入する空気Ａ′の温度を目標温度ＴＯに一致させる制御をより確実に行うことができる。
【０１０８】
発電機２０の出力が規定値（例えば定格出力の５０％）以上になると（図４の時点α）、蒸気源切替信号発生部１０１は、蒸気源切替信号ＴＳ２を出力する。この蒸気源切替信号ＴＳ２は、自缶蒸気使用係数発生部１０２と、補助蒸気用制御部３００の加算部３１８に入力される。
なお発電機２０の出力が規定値（例えば定格出力の５０％）以上になる前においても、自缶蒸気用制御部２００の演算動作自体は行われているが、自缶蒸気使用係数Ｊの値が「０」であるため、調整弁開度指令ＰＢ１の値が「０」となり、調整弁開度指令ＰＢ１による自缶蒸気用制御弁４１の実際の開閉制御は行なわれていない。
【０１０９】
蒸気源切替信号ＴＳ２が自缶蒸気使用係数発生部１０２に入力されると、この自缶蒸気使用係数発生部１０２は、時点αから予め決めた設定時間Ｔ１（図４において時点αから時点βまでの時間）において、値が「０」から「１」にまで次第に（直線的に）増加し、設定時間Ｔ１が経過した後（時点β後）には値が「１」となる自缶蒸気使用係数Ｊを出力する。
【０１１０】
補助蒸気用制御部３００の加算部３１８は、蒸気源切替信号ＴＳ２が入力された時点（時点α）における補正弁開度指令ＰＡ２の値をトラッキング（保持）し、トラッキングした値となっている補正弁開度補正指令ＰＡ２を出力し続ける。
【０１１１】
時点αから時点βにおいて、補助蒸気用制御部３００では、自缶蒸気使用係数Ｊが次第に増加するため、差値（１−Ｊ）が次第に減少する。この結果、値をトラッキングした補正弁開度指令ＰＡ２に、差値（１−Ｊ）を乗算してなる調整弁開度指令ＰＢ２は、一定レートで次第に（直線的）に減少し、時点βで値が「０」となる。
【０１１２】
したがって、値が一定レートで次第に（直線的）に減少していく調整弁開度指令ＰＢ２に応じて補助蒸気用制御弁５１の開度が一定レートで小さくなっていき、熱交換器３０に供給される補助蒸気Ｓ２の供給量は、時点αから時点βにおいて、トラッキングした補正弁開度指令ＰＡ２に対応した量から、一定レートで減少して０となる。
【０１１３】
一方、時点αから時点βにおいて、自缶蒸気用制御部２００では、自缶蒸気使用係数Ｊが次第に増加する結果、補正弁開度指令ＰＡ１に自缶蒸気係数Ｊを乗算してなる調整弁開度指令ＰＢ１が増加してくる。
【０１１４】
したがって、値が増加していく調整弁開度指令ＰＢ１に応じて自缶蒸気用制御弁４１の開度が大きくなっていき、熱交換器３０に供給される自缶蒸気Ｓ１の供給量は、時点αから時点βにおいて、調整弁開度指令ＰＢ１に応じて増加していく。
【０１１５】
このとき、調整弁開度指令ＰＢ１（＝ＰＡ１×Ｊ）は、フィードバック制御をする弁開度補正指令Ｐ１のみならず、フィードフォワード制御をする弁開度先行指令ｆ１を含むため、調整弁開度指令ＰＢ１により自缶蒸気用制御弁４１の開度制御を行うことにより、吸入する空気Ａ′の温度を目標温度ＴＯに一致させる制御をより確実に行うことができる。
【０１１６】
結局、時点αから時点βにおいては、補助蒸気用制御部３００から出力される調整弁開度指令ＰＢ２は一定レートで減少し、補正蒸気制御弁５１が一定レートで閉められていくのに対して、自缶蒸気用制御部２００から出力される調整弁開度指令ＰＢ１は次第に増加し、自缶蒸気用制御弁４１がフィードバック制御とフィードフォワード制御により制御されつつ開けられていく。
この結果、熱交換器３０に供給される蒸気を、補助蒸気Ｓ２から自缶蒸気Ｓ１に切り替えていっても、吸入空気Ａ′の温度を目標温度ＴＯに維持する制御を確実に実行することができる。
【０１１７】
＜自缶蒸気から補助蒸気へ切り替える第２の切替制御動作＞
次に、熱交換器３０に供給する蒸気を、自缶蒸気Ｓ１から補助蒸気Ｓ２に切り替える際の切替制御動作を、図１及び図４を参照して説明する。
【０１１８】
発電機出力が規定値（例えば定格出力の５０％）以上となっている定常運転時（図４において時点βから時点γ）には、補助蒸気用制御弁５１が全閉となっており、自缶蒸気用制御部２００により、自缶蒸気用制御弁４１の開度が制御される。したがって、定常運転時には熱交換器３０には自缶蒸気Ｓ１のみが供給される。
【０１１９】
このとき自缶蒸気使用係数発生部１０２から出力される自缶蒸気使用係数Ｊの値は「１」であり、自缶蒸気用制御部２００から出力される調整弁開度指令ＰＢ１の値は、補正弁開度指令ＰＡ１の値と等しくなっている。
そして、調整弁開度指令ＰＢ１（＝ＰＡ１）は、フィードバック制御をする弁開度補正指令Ｐ１のみならず、フィードフォワード制御をする弁開度先行指令ｆ１を含むため、調整弁開度指令ＰＢ１により自缶蒸気用制御弁４１の開度制御を行うことにより、吸入する空気Ａ′の温度を目標温度ＴＯに一致させる制御をより確実に行うことができる。
【０１２０】
発電機２０の出力が規定値（例えば定格出力の５０％）未満になると（図４の時点γ）、蒸気源切替信号発生部１０１は、蒸気源切替信号ＴＳ１を出力する。この蒸気源切替信号ＴＳ１は、自缶蒸気使用係数発生部１０２と、自缶蒸気用制御部２００の加算部２１８に入力される。
なお発電機２０の出力が規定値（例えば定格出力の５０％）未満になる前においても、補助蒸気用制御部３００の演算動作自体は行われているが、自缶蒸気使用係数Ｊの値が「１」となって差値（１−Ｊ）の値が「０」であるため、調整弁開度指令ＰＢ２の値が「０」となり、調整弁開度指令ＰＢ２による補助蒸気用制御弁５１の実際の開閉制御は行なわれていない。
【０１２１】
蒸気源切替信号ＴＳ１が自缶蒸気使用係数発生部１０２に入力されると、この自缶蒸気使用係数発生部１０２は、時点γから予め決めた設定時間Ｔ１（図４において時点γから時点δまでの時間）において、値が「１」から「０」にまで次第に（直線的に）減少し、設定時間Ｔ１が経過した後（時点δ後）には値が「０」となる自缶蒸気使用係数Ｊを出力する。
【０１２２】
自缶蒸気用制御部２００の加算部２１８は、蒸気源切替信号ＴＳ１が入力された時点（時点γ）における補正弁開度指令ＰＡ１の値をトラッキング（保持）し、トラッキングした値となっている補正弁開度補正指令ＰＡ１を出力し続ける。
【０１２３】
時点γから時点δにおいて、自缶蒸気用制御部２００では、自缶蒸気使用係数Ｊが次第に減少する結果、値をトラッキングした補正弁開度指令ＰＡ１に、自缶蒸気使用係数Ｊを乗算してなる調整弁開度指令ＰＢ１は、一定レートで次第に（直線的）に減少し、時点δで値が「０」となる。
【０１２４】
したがって、値が一定レートで次第に（直線的）に減少していく調整弁開度指令ＰＢ１に応じて自缶蒸気用制御弁４１の開度が一定レートで小さくなっていき、熱交換器３０に供給される自缶蒸気Ｓ１の供給量は、時点γから時点δにおいて、トラッキングした補正弁開度指令ＰＡ１に対応した量から、一定レートで減少して０となる。
【０１２５】
一方、時点γから時点δにおいて、補助蒸気用制御部３００では、自缶蒸気使用係数Ｊが次第に減少して、差値（１−Ｊ）が増加する結果、補正弁開度指令ＰＡ２に差値（１−Ｊ）を乗算してなる調整弁開度指令ＰＢ２が増加してくる。
【０１２６】
したがって、値が増加していく調整弁開度指令ＰＢ２に応じて補助蒸気用制御弁５１の開度が大きくなっていき、熱交換器３０に供給される補助蒸気Ｓ２の供給量は、時点γから時点δにおいて、調整弁開度指令ＰＢ２に応じて増加していく。
【０１２７】
このとき、調整弁開度指令ＰＢ２（＝ＰＡ２×（１−Ｊ））は、フィードバック制御をする弁開度補正指令Ｐ２のみならず、フィードフォワード制御をする弁開度先行指令ｆ２を含むため、調整弁開度指令ＰＢ２により補助蒸気用制御弁５１の開度制御を行うことにより、吸入する空気Ａ′の温度を目標温度ＴＯに一致させる制御をより確実に行うことができる。
【０１２８】
結局、時点γから時点δにおいては、自缶蒸気用制御部２００から出力される調整弁開度指令ＰＢ１は一定レートで減少し、自缶蒸気用制御弁４１が一定レートで閉められていくのに対して、補助蒸気用制御部３００から出力される調整弁開度指令ＰＢ２は次第に増加し、補助蒸気用制御弁５１がフィードバック制御とフィードフォワード制御により制御されつつ開けられていく。
この結果、熱交換器３０に供給される蒸気を、自缶蒸気Ｓ１から補助蒸気Ｓ２に切り替えていっても、吸入空気Ａ′の温度を目標温度ＴＯに維持する制御を確実に実行することができる。
【０１２９】
なお、上記実施例では、自缶蒸気用制御部２００も補助蒸気用制御部３００も共に、フィードバック制御とフィードフォワード制御（先行制御）を組み合わせて弁開度制御を行うものであったが、自缶蒸気用制御部及び補助蒸気用制御部を、フィードバック制御のみにより弁開度制御を行う制御部とした場合であっても、本願発明を適用することができる。
【図面の簡単な説明】
【０１３０】
【図１】本発明の実施例にかかるガスタービンの吸気加熱制御装置を適用した、ガスタービンプラントを示すブロック構成図。
【図２】実施例の自缶蒸気用制御部で用いる関数特性を示す特性図。
【図３】実施例の補助蒸気用制御部で用いる関数特性を示す特性図。
【図４】実施例の動作状態を示す特性図。
【図５】従来技術を示すブロック構成図。
【符号の説明】
【０１３１】
１０  ガスタービン
１１ａ  入口案内翼
１５  吸気ダクト
３０  熱交換器
４００  自缶蒸気管
４１  自缶蒸気用制御弁
５００  補助蒸気管
５１  補助蒸気用制御弁
１００  制御装置
１０１  蒸気源切替信号発生部
１０２  自缶蒸気使用係数発生部
２００  自缶蒸気用制御部
２１０  自缶蒸気用先行制御部
３００  補助蒸気用制御部
３１０  補助蒸気用先行制御部
Ａ，Ａ′  空気
Ｓ１  自缶蒸気
Ｓ２  補助蒸気
ＴＳ１，ＴＳ２  蒸気源切替信号
Ｊ  自缶蒸気使用係数
【図１】
0004949977.tif 000002
【図２】
0004949977.tif 000003
【図３】
0004949977.tif 000004
【図４】
0004949977.tif 000005
【図５】
0004949977.tif 000006